(57)【要約】【課題】コンクリート水路で、水路内に補強のための突出部を有する水路であっても、簡単に防水シートを敷設することができ、漏水防止性能にも優れた防水層を形成することができる水路防水工法の提供する。【解決手段】水路１内に突出する突出部２を所定ピッチで配置してなり、突出部２同士の間に位置する平場３が交互に出現する水路１に施す水路防水工法であり、突出部２の形状と略同形状を有する防水性を持つ型物４にて突出部２を覆い、突出部２同士の間の平場３には防水シート５を敷設し、前記型物４には突出部２を覆うキャップ部４ａと周縁に延びる鍔部４ｂを有しており、該鍔部４ｂと平場３の防水シート５を接合することで型物４と防水シート５とで連続した防水層を形成する。【選択図】図１
2010053620.tif 000002
【特許請求の範囲】
【請求項１】
コンクリート製の水路用ブロックで形成した水路であり、水路内に突出する突出部を所定ピッチで配置してなり、該突出部と突出部同士の間に位置する平場が交互に出現する水路に施す水路防水工法において、前記突出部の形状と略同形状のキャップ部を有する型物にて突出部を覆い、突出部同士の間の平場には防水シートを敷設し、前記型物にはキャップ部の周縁に延びる鍔部を有しており、該鍔部と平場の防水シートを接合することで型物と防水シートとで連続した防水層を形成することを特徴とする水路防水工法。
【請求項２】
コンクリート製の水路用ブロックで形成した水路であり、水路内に突出する突出部を所定ピッチで配置してなり、該突出部と突出部同士の間に位置する平場が交互に出現する水路に施す水路防水工法において、前記突出部の形状と略同形状のキャップ部を有する型物にて突出部を覆い、該型物にはキャップ部の周縁に延びる鍔部を有していると共に、隣り合う型物の向かい合う側に設けた鍔部は両方を併せると隣り合う突出部同士の間の平場全面を覆う広さを有してなり、該鍔部を接合することで平場を覆うと共に連続した防水層を形成することを特徴とする水路防水工法。
【発明の詳細な説明】
【技術分野】
【０００１】
本発明は、コンクリートからなりＵ字形状等の水路部材を並べて形成した水路の漏水を防止するための改修構造および改修方法であり、水路内が水分を含んだ湿潤下地であっても強固に接着・防水が可能である改修構造に関する。
【背景技術】
【０００２】
従来、農業用、工業用、一般の用水路や排水路として、Ｕ字形状のコンクリート水路部材が地面に埋め込まれるような形態でよく用いられている。一定長の水路部材を直列に並べて延長し、目地部には例えばアスファルト組成物等からなるシール材を介在させるなどして漏水しないようにして用いられている。
【０００３】
しかし、コンクリート製の水路は水路を埋め込んだ地盤の挙動、天候によるコンクリートの乾燥収縮、環境温度の変化に伴うコンクリートの伸縮等によって比較的短期間の内に水路部材自身に亀裂が発生するという問題があった。また、前記のように一定長の水路部材を長手方向に並べて延長し、長い水路を形成していることから水路部材同士の間に目地がある。この目地をシールするために木材を挟み込んだものやアスファルトピッチを流し込んだもの等が使用されている。これらは止水処理が完全であるとは言えず目地からの漏水は避けられなかった。
【０００４】
このようなコンクリート水路の場合亀裂の発生や目地部のシール性が低下することによって一旦漏水が発生すると、水路下の土砂が侵食され、さらには亀裂の成長によって漏水量が多くなり、水路及び地盤が崩壊するということがあった。特に、水路付近に民家等が存在する場合には、非常に危険な問題となっていた。
【０００５】
しかし、コンクリートで全面改修するには膨大な費用と工期を要するため、漏水が発生すると亀裂等の漏水部分にシール材、注入剤、モルタル等を充填して補修していた。また、漏水のひどいところについては、そのコンクリート水路部材自体を撤去して、再度型枠を組んだ後に、コンクリートを打設して新たに水路部材を形成するといった方法が採られていた。
【０００６】
補修に要する費用を低減し工期を短縮できるような方法として、例えば特許文献１には損傷した水路部材を補修するためにポリウレタン樹脂塗料を用いており、水路の内面に厚く塗布して膜厚の厚い塗膜層を形成することによって、漏水を止めるとともに水路の形状も整える補修工法が開示されている。
【０００７】
また、特許文献２にはコンクリート水路上に、防錆性の鉄板を複数敷設配置して長手方向に連結し、敷設した鉄板とコンクリート水路との間に凝固性のある充填材を注入することによって、低コストでしかも工期を短縮できる補修方法が開示されている。
【０００８】
特許文献３には水路内に遮水性を有するシートを介在してＦＲＰ板を水路内面にアンカー止めすることで水路を補修するとともに漏水防止性能も持たせることが開示されている。
【０００９】
特許文献４には、水路内にレジンコンクリートからなるパネル材を接着剤で取り付けて、水路が損傷したり漏水したりしているのを補修する方法が開示されている。
【００１０】
【特許文献１】特開平１１−１７２６５４号公報
【特許文献２】特開２００２−５４１２０号公報
【特許文献３】特開２００２−２６６３３７号公報
【特許文献４】特開２００３−３０６９２３号公報
【発明の開示】
【発明が解決しようとする課題】
【００１１】
特許文献１では、補修する際に水路内の水分を少ない状態にしなければならないこと、またウレタンの膜厚の厚い塗膜層を形成する作業にも少なからず時間がかかってしまうという問題がある。
【００１２】
特許文献２では水路にちょうど嵌め込むことができる鉄板を水路の長さ分準備しなければならず、重量物となるので搬入にも手間がかかり、また作業性も良好とはいえない。
【００１３】
特許文献３ではＦＲＰ板をボルト等のアンカー材で水路部材に固定しており、遮水性を持たせたい場合、遮水層にはアンカー部材が貫通しているために、その貫通口から後に漏水が発生してしまうといった可能性がある。
【００１４】
特許文献４では、パネルを貼り付けていく方法であり、漏水が発生しやすい箇所であるパネル同士の目地が多くできてしまうので、将来の漏水性能に不安を残す方法であるということができる。
【００１５】
また、その他の問題として、コンクリート水路で水路内に補強のための突出を有するものを用いているような場合は、その突出部も含めて防水材で覆ってしまわなければならないが、防水シートを突出部の形状に沿わせて敷設するのは困難である。角になった箇所にシートを沿わせることや、出入隅において漏水しないようにシートを収めることは、非常に手間がかかるだけでなく、後の漏水の発生やシートの浮きの発生につながってしまう。
【００１６】
そこで本発明では、コンクリート水路で、水路内に補強のための突出部を有する水路であっても、簡単に防水シートを敷設することができ、漏水防止性能にも優れた防水層を形成することができる水路防水工法の提供を課題とする。
【課題を解決するための手段】
【００１７】
このような課題を解決するために本発明の請求項１では、コンクリート製の水路用ブロックで形成した水路であり、水路内に突出する突出部を所定ピッチで配置してなり、該突出部と突出部同士の間に位置する平場が交互に出現する水路に施す水路防水工法において、前記突出部の形状と略同形状のキャップ部を有する型物にて突出部を覆い、突出部同士の間の平場には防水シートを敷設し、前記型物にはキャップ部の周縁に延びる鍔部を有しており、該鍔部と平場の防水シートを接合することで型物と防水シートとで連続した防水層を形成することを特徴とする。
【００１８】
請求項２では、コンクリート製の水路用ブロックで形成した水路であり、水路内に突出する突出部を所定ピッチで配置してなり、該突出部と突出部同士の間に位置する平場が交互に出現する水路に施す水路防水工法において、前記突出部の形状と略同形状のキャップ部を有する型物にて突出部を覆い、該型物にはキャップ部の周縁に延びる鍔部を有していると共に、隣り合う型物の向かい合う側に設けた鍔部は両方を併せると隣り合う突出部同士の間の平場全面を覆う広さを有してなり、該鍔部を接合することで平場を覆うと共に連続した防水層を形成することを特徴とする。
【発明の効果】
【００１９】
請求項１では、コンクリート製の水路用ブロックで形成した水路であり、水路内に補強用の突出部を所定ピッチで有する水路にシートで防水を施す水路防水工法で、突出部の防水に関しては突出部の形状と略同形状のキャップ部を有する型物を使用しているので、防水シートを突出部の形状に沿わせたり、出入隅において防水シートを収める作業が不要であり、非常に簡便に防水を施すことができ、施工時間を大幅に短縮することができる。
【００２０】
請求項２では、突出部と略同形状の型物から伸びている鍔部を隣り合う突出部の間に位置する平場を覆うだけの面積を有するものとしていることから、型物を並べて配置し、その鍔部を接合していくことで水路内を完全に覆う防水層を形成することができて、突出部と平場の両方にそれぞれシートを敷設配置する手間を軽減することができ、漏水の問題も発生しにくい。
【発明を実施するための最良の形態】
【００２１】
図１に示すようなコンクリート製の水路用ブロックで形成した水路１であり、水路１内面側に突出する突出部２を所定ピッチで配置してなり、該突出部２と突出部２同士の間に位置する平場３が交互に出現する水路となっている。本発明では、このような突出部２を所定ピッチで有する水路１が老朽化してきたときの補修などの目的で、水路内に防水層を形成する工法を提供するものである。
【００２２】
本発明では、前記のような突出部２を所定ピッチで有する水路内を防水する水路防水工法において、前記突出部２の形状と略同形状を有する防水性を持つ図２のような型物４にて突出部２を覆い、突出部２同士の間の平場３には防水シート５を敷設している。そして、前記型物４は突出部２を覆うキャップ部４ａとその周縁に延びる鍔部４ｂを有しており、該鍔部４ｂと平場３に敷設する防水シート５とを接合することで型物４と防水シート５とで連続した防水層を形成するものである。
【００２３】
あるいは、図３に示すように、同様に突出部２の形状と略同形状を有するキャップ部４ａとその周縁に延びる鍔部４ｂとからなる型物４であって、二つの型物４の鍔部４ｂの長さを合わせると、水路１の隣り合う突出部２の間の平場３を完全に覆うことができる程度の鍔部４ｂとすることもできる。そのような型物４を使用することによって、突出部２にキャップ部４ａを被せて型物４を配置し、隣り合う型物４の鍔部４ｂ同士を接合することによって、水路１の突出部２と平場３の両方を覆ってしまうことができ、型物４とは別に平場３に防水シート５を敷設する必要がなくなるので、シートの接合部が少なくなるので、敷設する手間が大幅に軽減されると共に、接合不良による漏水の発生の可能性も低くすることができる。
【００２４】
型物４や防水シート５の素材としてはエチレン・プロピレン・ターポリマー（ＥＰＤＭ）、ブチルゴム（ＩＩＲ）あるいはこれらのブレンド物などの加硫ゴムシートやポリプロピレン、ポリエチレン、エチレン酢酸ビニル共重合体樹脂、塩化ビニル樹脂ならびにその変性体などの熱可塑性樹脂防水シートが挙げられる。厚みは１．０〜２．５ｍｍ程度が好ましく、簡単に破断しないよう強度を持たせるためにゴム中にポリエステル繊維、綿、ポリアミド繊維などからなる基布を埋設したものを用いてもよい。シートが露出しないような用途の場合は少し耐候性に劣るところがあるもののスチレンブタジエンゴムやニトリルゴム、天然ゴムを用いることも可能である。厚みが１．０ｍｍ未満であると強度不足となりシートが破断してしまうといった問題があり、２．５ｍｍを超える厚みであると柔軟性  
【００２５】
が失われて出入隅部などに沿いにくくなるので好ましくない。
【００２６】
型物４や防水シート５の接合は、通常加硫ゴムシート同士を接着する公知の方法、例えばゴム系の接着剤または自然加硫する粘着テープを用いて接着接合したり、場合によっては熱融着等の方法で行うことができる。
【００２７】
型物４や防水シート５の下地への固定は、接着剤を用いて行うことができる。その例として次のようなものが挙げられる。
【００２８】
一つにはクロロプレンゴムやブチルゴム等を溶剤に溶かしたゴム系の接着剤を下地に塗布して、上から型物４や防水シート５を配置して転圧することにより接着固定する方法が挙げられる。
【００２９】
この接着剤としては、例えばクロロプレンゴムに対して粘着付与剤やカーボンブラック等を配合してそれをトルエンやヘキサンやメチルエチルケトンといった溶剤に溶かしたものである
【００３０】
また、もう一つには図４に示すようにセメントと樹脂エマルションなどのポリマー成分からなるポリマーセメントペーストを接着剤６として塗布し、その上から型物４や防水シート５を敷設して更に上からポリマーセメントペーストを表面層７として塗布積層する方法が挙げられる。
【００３１】
接着剤は少なくともセメントと樹脂エマルションを配合したポリマーセメントペーストからなり、セメントとしては水和硬化性粉体で一般的なポルトランドセメントやアルミナセメント、フライアッシュセメント、シリカセメント、マグネシアセメント、急硬性セメントなどを挙げることができ、樹脂エマルションとしては、エチレン酢酸ビニル（ＥＶＡ）、変性ＥＶＡ、アクリル樹脂、エポキシ樹脂、ウレタン樹脂、アクリルスチレン、ＳＢＲ、ＣＲなどを挙げることができる。樹脂エマルションはこれらの中では接着性とコストの面からエチレン酢酸ビニル樹脂を用いることが実用的で好ましい。
【００３２】
そしてセメントと樹脂エマルションとの配合において、セメント／樹脂エマルションの固形分比を１００／２０〜１００／２００の範囲とすることによって接着剤６自身に防水性能を持たせることができるので、型物４や防水シート５と接着剤６の両方で防水することができるので好ましい。前記固形分比において樹脂エマルションの固形分が１００／２０未満であると透水量が多くなって水密性が乏しく好ましくない。逆に１００／２００を超えると下地への塗布がしにくくなるとともに、１回の塗布量が少なくなり、所定の塗布量を得るには塗布回数を多くする必要があり、作業性の面で好ましくない。
【００３３】
接着剤６の塗布厚みとしては１〜５ｍｍ程度で、塗布量としては２〜１０ｋｇ／ｍ程度が好ましい。厚みが１ｍｍ未満であるとその上に敷設する防水シート表面の凹凸によるアンカー効果が少なくなり、防水性能を十分に確保することができない。一方、５ｍｍを超える厚みとなると、硬化するのに長時間を要することになるので好ましくない。
【００３４】
また、図示はしないが水路１に接着剤６を塗布するに先立って、プライマーを水路１に塗っておいてもよい。水路１のコンクリート表面には図示していないが、通常、細かな孔が存在していることから、直接、ポリマーセメントペーストからなる接着材６に塗ると孔内の空気によって気泡が生じ、ピンホールになり易いため水路１に接着剤６を塗る前に予めプライマーを塗布することでその様な問題を防止することができる。素材としてはエチレン酢酸ビニル（ＥＶＡ）、変性ＥＶＡ、アクリル樹脂、エポキシ樹脂、ウレタン樹脂、アクリルスチレン、ＳＢＲ、ＣＲ等のエマルションを用いることができる。
【００３５】
また、型物４や防水シート５の別の例として図５に示すようなものを挙げることができる。図５は防水シート５の例であり、シートの一部分の断面を示す拡大断面図であるが、ゴムからなるシート本体５ａと該シート本体５ａに目付量が１０〜７０ｇ／ｍ２の不織布５ｂを貼り合わせて一体化しており、接着剤６に不織布５ｂの面を重ねることによってポリマーセメントペーストである接着剤６を不織布５ｂに含浸させて物理的な効果等により防水シート５と接着剤６を固定することができる。不織布５ｂは、シート本体５ａの両面に配置することによって上面の不織布５ｂにも表面層７が含浸して防水シート５との間を強固に固定することができるので好ましい形態ということができるが、片面だけであっても構わない。
【００３６】
不織布５ａの目付量が１０ｇ／ｍ２未満であると不織布の強度が不足して不織布自身が容易に破壊されるので剥がれが生じやすくなり、７０ｇ／ｍ２を超えるとポリマーセメントペーストからなる接着の不織布５ｂへの含浸が不十分になることから固定力が小さくなってポリマーセメントペーストと不織布との間で剥離しやすくなるので好ましくない。
【００３７】
不織布５ｂのシート本体５ａへの貼り合わせは、ゴムからなるシート本体５ａを加硫した際の熱を利用して圧着ロールで不織布５ｂを熱により圧着する方法を採ることができる。また、シート本体５ａと不織布５ｂとの間の接着強度を高めるためにシート本体５ａに融着層５ｃを介在させておき、そこに不織布５ｂを重ね合わせて加熱圧着してよい。そうすることによって不織布５ｂをシート本体５ａに対して容易に融着させることができるとともに接着強度も十分に大きなものを得ることができる。
【００３８】
不織布５ｂとしてはポリエチレン、ポリプロピレン、ポリエステル、レーヨンなどの素材を挙げることができ、特にポリエステルからなるものがポリマーセメントペーストからなる接着剤６との接着が良好であることから好ましい。
【００３９】
表面層７は、少なくともセメントと樹脂エマルションとからなるものであるが、表面に位置する層であることからある程度の強度を有する必要があるとともに下地の動きに追従できる程度の伸びを有することが好ましく、表面層はセメント１００質量部に対してポリマーを１０〜１００質量部、水を３０〜７０質量部の割合で配合した伸縮性を有するポリマーセメントペーストを用いている。
【００４０】
そうすることによって表面層の施工性を損なうことなく十分な伸びを持たせることができ、下地のずれや動きがあっても表面層に断裂したり浮きが生じたりするといった問題を防止することができる。場合によっては、更に砂などの骨材を必要な伸縮性を損なわない程度に混入した一般的にポリマーセメントモルタルと呼ばれるものとしてもよく、骨材を配合することによって、耐衝撃性などの強度を向上させることができ、防水性能の耐久性を増すことができる。しかし、表面層７の伸縮性を十分に保つために前記骨材の配合比率はセメント１００質量部に対して７５質量部以下とする。また、骨材を配合することによる効果を得るには１５質量部以上配合することが好ましい。表面層７で用いることができるセメントや樹脂エマルションのようなポリマーは接着剤６に用いるものと同様のものが挙げられる。
【産業上の利用可能性】
【００４１】
コンクリート水路の改修に利用することができる。
【図面の簡単な説明】
【００４２】
【図１】本発明の水路防水工法を示す要部斜視図である。
【図２】本発明に用いる型物の斜視図である。
【図３】本発明の水路防水工法の別の例示す要部斜視図である。
【図４】型物の下地への接着方法の例を示す拡大断面図である。
【図５】防水シートの別の例を示す断面図である。
【符号の説明】
【００４３】
１    水路
２    突出部
３    平場
４    型物
４ａ  キャップ部
４ｂ  鍔部
５    防水シート
６    接着剤
７    表面層
【図１】
2010053620.tif 000003
【図２】
2010053620.tif 000004
【図３】
2010053620.tif 000005
【図４】
2010053620.tif 000006
【図５】
2010053620.tif 000007